(57)【要約】【課題】  簡単な構造でありながら、廃骨材中のシート状不純物を簡単に除去することができるようにしたコンベア装置の提供。【解決手段】  コンベア本体１の搬送終端から排出される廃骨材Ｋ中のシート状不純物Ｋ１をフック部材２により引っ掛けて排除させるように形成したコンベア装置である。フック部材は、軸体２０の下端に３本以上のフック片２１が概ね等間隔で放射状に突設されると共に、軸体が垂直Ａに対して下端側をコンベア本体側に近付けた傾斜状態で回転可能に支持されている。【選択図】  図１
2007083175.tif 000002
【特許請求の範囲】
【請求項１】
布片やビニールシート片等のシート状不純物を含む廃材を搬送対象としたコンベア本体と、このコンベア本体の搬送終端の先方下方に配設されるフック部材を備え、
前記コンベア本体の搬送終端から排出される廃材中のシート状不純物を前記フック部材により引っ掛けて排除させるように形成したコンベア装置であって、
前記フック部材は、軸体の下端に３本以上のフック片が概ね等間隔で放射状に突設されると共に、前記軸体が垂直に対して下端側をコンベア本体側に近付けた傾斜状態で回転可能に支持されていることを特徴とするコンベア装置。
【請求項２】
前記フック部材の軸体が支持ケースによって回転可能に支持され、この支持ケースが弾性支持されている請求項１記載のコンベア装置
【発明の詳細な説明】
【技術分野】
【０００１】
本発明は、アスファルトコンクリート廃骨材（アスコン廃骨材）、アスファルト廃骨材、コンクリート廃骨材等の道路廃骨材や建設廃骨材、そのほかペットボトル廃材や飲料缶廃材、産業廃棄物などの廃材を搬送対象としたコンベア装置に関し、特に、その廃材に含まれた布片やビニールシート片等のシート状不純物を除去するための技術に関する。
【背景技術】
【０００２】
従来、道路廃骨材や建設廃骨材、その他の廃材を原料としてリサイクル処理することが要求されている。
このようなリサイクル処理に際し、原料や中間処理品の搬送手段としてベルトコンベアが用いられるが、その搬送対象となる廃材には、布片やビニールシート片等のシート状不純物が含まれていることが多い。
【０００３】
なお、本発明でいうシート状不純物には、布片やビニールシート片の他、軍手やタオルや布紐等の布製品、ゴミ袋や樹脂紐等の樹脂製品、このほか紙シートや紙袋や紙テープ等の紙製品等、廃骨材に含まれるシート状又は袋状又は紐状等の不純物を含めるものとする。
【０００４】
廃材にこれらのシート状不純物が含まれたままでは、リサイクル処理における各工程（例えば、破砕工程、選別工程、搬送工程等）において、これらのシート状不純物が機械に詰まったり、巻き付いたりするなどのトラブルの原因になるし、製品としての再生材に混入したまま残り、品質低下の原因になってしまうという問題が生じる。
【０００５】
そこで、これらのシート状不純物を除去することが要求されるが、従来では、水力選別装置等の専用のゴミ除去装置に供給させることで、シート状不純物等を除去させるようになっていた（特許文献１参照）。
しかしながら、このような選別装置等の専用のゴミ除去装置を設けると、それだけ設備が大掛かりになり、設備コスト面やメンテナンス面で不利になるという問題があった。
【特許文献１】特開平５−３０１０８６号公報
【発明の開示】
【発明が解決しようとする課題】
【０００６】
本発明は、簡単な構造でありながら、廃材中のシート状不純物を簡単に除去することができるようにしたコンベア装置を提供することを課題としている。
【課題を解決するための手段】
【０００７】
上記の課題を解決するために、本発明（請求項１）のコンベア装置は、
布片やビニールシート片等のシート状不純物を含む廃材を搬送対象としたコンベア本体と、このコンベア本体の搬送終端の先方下方に配設されるフック部材を備え、
前記コンベア本体の搬送終端から排出される廃材中のシート状不純物を前記フック部材により引っ掛けて排除させるように形成したコンベア装置であって、
前記フック部材は、軸体の下端に３本以上のフック片が概ね等間隔で放射状に突設されると共に、前記軸体が垂直に対して下端側をコンベア本体側に近付けた傾斜状態で回転可能に支持されている構成とした。
【０００８】
なお、前記請求項１記載のコンベア装置において、前記フック部材の軸体が支持ケースによって回転可能に支持され、この支持ケースが弾性支持されている態様（請求項２）がある。
【発明の効果】
【０００９】
本発明のコンベア装置は、コンベア本体の搬送終端から廃材が排出されると、この廃材中のシート状不純物が、コンベア本体の搬送終端の先方下方に配設したフック部材に引っ掛かるようにしたもので、簡単な構造でありながら、廃材中のシート状不純物を簡単に除去することができる。
【００１０】
この場合、廃材がコンベア本体の搬送終端から排出落下する際は、軽量なシート状不純物は廃材よりも遠くに飛ばされることが多い。
従って、フック部材を、廃材ができるだけ衝突しないような離れた位置に配設させて衝突による衝撃を回避させたとしても、シート状不純物が廃材よりも遠くに飛ばされるため、このシート状不純物をフック部材に引っ掛けさせることができる。
【００１１】
又、フック部材は、軸体の下端に３本以上のフック片を概ね等間隔で放射状に突設したものであるため、フック片の内の少なくとも１片はコンベア本体に対向する側に位置することになり、シート状不純物が引っ掛かり易くなる。
【００１２】
又、フック部材の軸体は、下端側をコンベア本体側に近付けた傾斜状態で支持されているため、引っ掛け用の部材であるフック片がコンベア本体に最も近付くことになり、このフック片にシート状不純物が引っ掛かり易くなる。
【００１３】
また、軸体が傾斜状態で回転可能に支持されているため、コンベア本体に対向する側でフック片にシート状不純物が引っ掛かると、そのときの勢いやシート状不純物の重みによって、そのシート状不純物を引っ掛けたフック片がコンベア本体とは反対側に回る。
従って、それまでコンベア本体とは反対側にあったフック片が今度はコンベア本体に対向する側に位置してシート状不純物を引っ掛けることができるもので、これが繰り返されることで、それぞれ各フック片にシート状不純物を引っ掛けることができる。
なお、各フック片に引っ掛かったシート状不純物は、適宜に取り除くことになる。
【００１４】
また、フック部材はコンベア本体の搬送終端の先方下方に配設されているため、コンベア本体の搬送終端から排出された廃材がどうしてもフック片に衝突することがある。
このとき、フック部材の軸体を支持ケースによって回転可能に支持させ、この支持ケースを弾性支持させれば（請求項２）、廃材がフック片に衝突することによる衝撃を弾性によって吸収でき、フック部材の破損を防止できるし、フック部材の支持状態を安定させることができる。
【発明を実施するための最良の形態】
【００１５】
以下、本発明の実施の形態を図面に示す実施例により説明する。
図１はコンベア装置の実施例を示す側面図、図２はその平面図である。
【００１６】
図において、１はコンベア本体で、布片やビニールシート片等のシート状不純物を含む廃骨材を搬送対象とし、ローラ１０にベルト１１が掛け回された通常のベルトコンベアである。
【００１７】
前記コンベア本体１の搬送終端の先方下方にフック部材２が配設されている。
このフック部材２は、前記コンベア本体１の搬送終端から排出される廃骨材Ｋ中のシート状不純物Ｋ１を引っ掛けて排除させるように形成されている。
【００１８】
前記フック部材２は、軸体２０の下端に８本のフック片２１が概ね４５度の等間隔で放射状に突設されると共に、前記軸体２０が垂直Ａに対して下端側をコンベア本体１側に近付けた傾斜状態で回転可能に支持されている。
この場合、軸体２０の傾斜角度θを垂直Ａに対して概ね５度〜１５度の範囲に設定している。
【００１９】
前記軸体２０の上端は、支持ケース２２の内部にベアリング（図示省略）によって回転可能に支持され、この支持ケース２２がフレーム３に複数個のスプリング２３によって弾性支持されている。
この場合、軸体２０が垂直Ａに対して下端側をコンベア本体１側に近付けた傾斜状態に保持されるように支持ケース２２を弾性支持させ、廃骨材Ｋが衝突した場合には、その衝撃をスプリング２３により吸収させ、その後はフック部材２を、設定した傾斜状態に復帰保持させるような弾性支持構造であればよい。
なお、このフック部材２の弾性支持構造は必ずしも必要でなく、支持ケース２２をフレーム３に固定させてもよい。
【００２０】
このように、本発明のコンベア装置では、廃骨材Ｋ中のシート状不純物Ｋ１をフック部材２に引っ掛けて除去させるものであり、簡単な構造でありながら、廃骨材Ｋの中からシート状不純物Ｋ１を簡単に除去することができる。
特に、フック部材２の軸体２０を傾斜状態にして回転可能に支持させているため、フック片２１がコンベア本体１に最も近付き、シート状不純物Ｋ１がフック片２１に引っ掛かり易くなるし、回転によって、それぞれのフック片２１にシート状不純物Ｋ１を引っ掛けることができる。
【００２１】
又、フック部材２の軸体２０を回転可能に支持させた支持ケース２２を弾性支持させているので、廃骨材Ｋがフック片２１に衝突することによる衝撃を弾性によって吸収でき、フック部材２の破損を防止できるし、フック部材２の支持状態を安定させることができる。
【図面の簡単な説明】
【００２２】
【図１】コンベア装置の実施例を示す側面図である。
【図２】その平面図である。
【符号の説明】
【００２３】
１  コンベア本体
１０  ローラ
１１  ベルト
２  フック部材
２０  軸体
２１  フック片
２２  支持ケース
２３  スプリング
３  フレーム
Ａ  垂直
Ｋ  廃骨材
Ｋ１  シート状不純物
θ  傾斜角度
【図１】
2007083175.tif 000003
【図２】
2007083175.tif 000004